(57)【要約】  本開示の一実施の形態に係るネイル製作システムは、第１補正部と、第１変換部とを備えている。第１補正部は、爪の計測データに基づいて既存ネイルチップもしくは既存ネイルシールの形状データを補正することによりオリジナルネイルチップもしくはオリジナルネイルシールの形状データを生成する。第１変換部は、第１補正部によって生成されたオリジナルネイルチップもしくはオリジナルネイルシールの形状データを印刷データに変換する。
2018016205.tif 000002
【特許請求の範囲】
【請求項１】
爪の計測データに基づいて既存ネイルチップもしくは既存ネイルシールの形状データを補正することによりオリジナルネイルチップもしくはオリジナルネイルシールの形状データを生成する第１補正部と、
前記第１補正部によって生成された前記オリジナルネイルチップもしくは前記オリジナルネイルシールの形状データを印刷データに変換する第１変換部と
を備えた
ネイル製作システム。
【請求項２】
前記爪の計測データに基づいて、前記オリジナルネイルチップもしくは前記オリジナルネイルシールの表面に印刷される装飾デザインのデータを補正することにより前記装飾デザインの補正データを生成する第２補正部と、
前記第２補正部によって生成された前記装飾デザインの補正データを印刷データに変換する第２生成部と
をさらに備えた
請求項１に記載のネイル製作システム。
【請求項３】
前記第１変換部で得られた印刷データに基づいて樹脂を吐出することにより、前記オリジナルネイルチップを製作する第１製作部をさらに備えた
請求項１に記載のネイル製作システム。
【請求項４】
前記第１変換部で得られた印刷データに基づいて樹脂シールを切断もしくは半切断することにより、前記オリジナルネイルシールを製作する第１製作部をさらに備えた
請求項１に記載のネイル製作システム。
【請求項５】
前記第２変換部で得られた印刷データに基づいて樹脂またはインクを吐出することにより、前記オリジナルネイルチップの表面に前記装飾デザインを印刷する第２製作部をさらに備えた
請求項２に記載のネイル製作システム。
【請求項６】
前記第２変換部で得られた印刷データに基づいて樹脂またはインクを吐出することにより、樹脂シールの表面に前記装飾デザインを印刷する第２製作部をさらに備えた
請求項２に記載のネイル製作システム。
【請求項７】
肌の計測データに基づいて１または複数のお勧め装飾デザインを選択し、選択した前記１または複数のお勧め装飾デザインに対応する情報を出力する出力部をさらに備えた
請求項２に記載のネイル製作システム。
【請求項８】
爪の計測データに基づいて既存ネイルチップもしくは既存ネイルシールの形状データを補正することによりオリジナルネイルチップもしくはオリジナルネイルシールの形状データを生成することと、
前記第１補正部によって生成された前記オリジナルネイルチップもしくは前記オリジナルネイルシールの形状データを印刷データに変換することと
を含む
ネイル製作方法。
【発明の詳細な説明】
【技術分野】
【０００１】
本技術は、ネイル製作システムおよびネイル製作方法に関する。
【背景技術】
【０００２】
近年、デザインが施されたネイルチップもしくはネイルシールを自爪に装着して、お洒落を楽しむ人が増えてきている。一般的には、ユーザは、既製品の中から自分の爪や好みに合う形状や大きさのネイルチップもしくはネイルシールを選択する。しかし、自爪の形状や大きさは、ユーザごとに異なるので、既製品のネイルチップもしくはネイルシールが、自爪に合わず、格好悪いとか剥がれやすいとかいった問題があった。それに対して、測定により得られた自爪のＣＡＤデータに基づいて製作した金型を用いて、ネイルチップを製作することが特許文献１で提案されている。
【先行技術文献】
【特許文献】
【０００３】
【特許文献１】特開２０１１−０６７３８５号公報
【発明の概要】
【０００４】
しかし、特許文献１に記載の方法では、ユーザごとに金型を製作しないといけないので、製造コストが高くなってしまう。従って、低コストで自爪にフィットし易いネイルチップもしくはネイルシールを製作することを可能にするネイル製作システムおよびネイル製作方法を提供することが望ましい。
【０００５】
本技術の一実施の形態に係るネイル製作システムは、第１補正部と、第１変換部とを備えている。第１補正部は、爪の計測データに基づいて既存ネイルチップもしくは既存ネイルシールの形状データを補正することによりオリジナルネイルチップもしくはオリジナルネイルシールの形状データを生成する。第１変換部は、第１補正部によって生成されたオリジナルネイルチップもしくはオリジナルネイルシールの形状データを印刷データに変換する。
【０００６】
本技術の一実施の形態に係るネイル製作方法は、以下の２つのステップを含む。
（Ａ）爪の計測データに基づいて既存ネイルチップもしくは既存ネイルシールの形状データを補正することによりオリジナルネイルチップもしくはオリジナルネイルシールの形状データを生成すること
（Ｂ）第１補正部によって生成された前記オリジナルネイルチップもしくはオリジナルネイルシールの形状データを印刷データに変換すること
【０００７】
本技術の一実施の形態に係るネイル製作システムおよびネイル製作方法では、爪の計測データに基づいて、既存ネイルチップもしくは既存ネイルシールの形状データから、オリジナルネイルチップもしくはオリジナルネイルシールの形状データが生成される。さらに、生成された形状データが印刷データに変換される。これにより、金型を用いずに、プリンタによって、自爪の形状や大きさに合ったオリジナルネイルチップもしくはオリジナルネイルシールを得ることができる。
【０００８】
本技術の一実施の形態に係るネイル製作システムおよびネイル製作方法によれば、金型を用いずに、プリンタによって、自爪の形状や大きさに合ったオリジナルネイルチップもしくはオリジナルネイルシールを得ることができるようにしたので、低コストで自爪にフィットし易いネイルチップもしくはネイルシールを製作することができる。なお、本技術の効果は、ここに記載された効果に必ずしも限定されず、本明細書中に記載されたいずれの効果であってもよい。
【図面の簡単な説明】
【０００９】
【図１】本技術の一実施形態に係るネイル製作システムの概略構成例を表す図である。
【図２】図１の登録装置の概略構成例を表す図である。
【図３】図１のデータサーバ装置の概略構成例を表す図である。
【図４】図１の造形装置の概略構成例を表す図である。
【図５】ネイルチップの一例を表す図である。
【図６】樹脂シールの一例を表す図である。
【図７】ネイルシールの一例を表す図である。
【図８】図１の印刷装置の概略構成例を表す図である。
【図９】ネイルチップに施した装飾デザインの一例を表す図である。
【図１０】樹脂シールに施した装飾デザインの一例を表す図である。
【図１１】図１のウェブサーバ装置の概略構成例を表す図である。
【図１２】注文情報の一例を表す図である。
【図１３】図１の端末装置の概略構成例を表す図である。
【図１４】図１のネイル製作システムにおける印刷データの生成手順の一例を表す図である。
【図１５】図１のネイル製作システムにおける印刷データの生成手順の一例を表す図である。
【図１６】ネイルシールの一例を表す図である。
【図１７Ａ】図１２の注文情報の一例を表す図である。
【図１７Ｂ】図１２の注文情報の一例を表す図である。
【発明を実施するための形態】
【００１０】
以下、本技術を実施するための形態について、図面を参照して詳細に説明する。なお、説明は以下の順序で行う。
１．実施の形態（ネイル製作システム）
２．変形例（ネイル製作システム）
・お勧め装飾デザインをユーザに提示する例
・ネイルチップもしくはネイルシールに装飾デザインを施さない例
・装飾デザインの補正をユーザも行う例
【００１１】
＜１．実施の形態＞
[構成]
本技術の一実施の形態に係るネイル製作システム１について説明する。図１は、ネイル製作システム１の概略構成例を表したものである。ネイル製作システム１は、ネイルチップもしくはネイルシールの注文を、ネットワークを介して受け付け、受け付けた注文の内容に応じてオーダーメードでネイルチップもしくはネイルシールを製作するシステムである。
【００１２】
ネイル製作システム１は、登録装置２００、データサーバ装置３００、造形装置４００、印刷装置５００、ウェブサーバ装置６００および端末装置７００を備えている。登録装置２００、データサーバ装置３００、造形装置４００、印刷装置５００、ウェブサーバ装置６００および端末装置７００は、ネットワーク１００を介して相互に接続される。ネットワーク１００は、例えば、インターネットで標準的に利用されている通信プロトコル（ＴＣＰ／ＩＰ）を用いて通信を行うネットワークである。ネットワーク１００は、例えば、そのネットワーク独自の通信プロトコルを用いて通信を行うセキュアなネットワークであってもよい。ネットワーク１００は、例えば、インターネット、イントラネット、または、ローカルエリアネットワークである。ネットワーク１００と、登録装置２００、データサーバ装置３００、造形装置４００、印刷装置５００、ウェブサーバ装置６００または端末装置７００との接続は、例えば、有線ＬＡＮ（Ｌｏｃａｌ  Ａｒｅａ  Ｎｅｔｗｏｒｋ）であってもよいし、Ｗｉ−Ｆｉ等の無線ＬＡＮや、携帯電話回線などであってもよい。
【００１３】
（登録装置２００）
図２は、登録装置２００の概略構成例を表したものである。登録装置２００は、ユーザの爪や肌を計測し、それにより得られた爪や肌の計測データをデータサーバ装置３００に登録する。登録装置２００は、所定の測距方式を用いて、ユーザの爪の形状を計測する。所定の測距方式としては、例えば、光切断法、ＴＯＦ（Time Of Flight）法、単眼カメラ測定法、または、複眼カメラ測定法が挙げられる。
【００１４】
光切断法は、光をスリット状、ドット状または格子状のパターンを対象物に照射し、三角測量で対象物の表面の座標データを取得する方法である。ＴＯＦ法は、光を対象物に照射し、対象物からの反射光が受光素子に入射するまでの時間に基づいて対象物の表面の座標データを取得する方法である。単眼カメラ測定法は、遠近法を用いた測距方式である。複眼カメラ測定法は、カメラによる三角測量方式である。光切断法およびＴＯＦ法では、単眼カメラ測定法および複眼カメラ測定法よりも高い精度が得られる。さらに、光切断法では、光源に白色光源を用いた場合には、カラーテクスチャが得られるので、得られたカラーテクスチャから、肌の色を判別することができる。また、白色光源として、白色ＬＥＤを用いた場合には、白色レーザを用いたときよりも、スペックルノイズが小さいので、対象物の表面の座標データを高精度に得ることができる。
【００１５】
そこで、以下では、登録装置２００が、白色ＬＥＤを光源に用いた光切断法によって、対象物の表面の座標データを取得するものとする。従って、登録装置２００は、光切断法を用いて、ユーザの爪の形状を計測するとともに、ユーザの肌の色を計測することができる。
【００１６】
登録装置２００は、例えば、光走査部２１０、カメラ２２０、駆動部２３０、通信部２４０、操作部２５０、記憶部２６０および制御部２７０を有している。
【００１７】
光走査部２１０は、例えば、対象物である爪１０１（爪１０１を含む指先）の表面に向かってスリット光Ｌｓを出射するとともに、スリット光Ｌｓを、爪１０１（爪１０１を含む指先）の表面で走査する。光走査部２１０は、例えば、スリット光Ｌｓを出射する光源部２１１と、光源部２１１からのスリット光Ｌｓを爪１０１（爪１０１を含む指先）の表面で走査させる可動ミラー２１２とを有している。カメラ２２０は、対象物である爪１０１（爪１０１を含む指先）の表面からの反射光Ｌｒを検出する。
【００１８】
駆動部２３０は、制御部２７０による制御の下、光走査部２１０およびカメラ２２０を駆動する。制御部２７０は、駆動部２３０を介して、光走査部２１０およびカメラ２２０の駆動を制御するとともに、カメラ２２０での検出結果を用いた三角測量法により、爪１０１（爪１０１を含む指先）の表面の座標データ（爪１０１の計測データ２６２）を取得する。このとき、制御部２７０は、指の幅方向に延在するスリット状の白色ＬＥＤ光を指の延在方向に走査させることにより、座標データ（爪１０１の計測データ２６２）を取得する。制御部２７０は、さらに、カメラ２２０での検出結果（カラー画像）を用いて、肌の色（肌の計測データ２６３）を取得する。なお、肌の計測データ２６３の取得は、必要に応じて、省略され得る。
【００１９】
制御部２７０は、爪１０１の計測データ２６２、肌の計測データ２６３を記憶部２６０に記憶させるとともに、データサーバ３００内の記憶部３１０に記憶させる。制御部２７０は、さらに、操作部２５０を介して入力されたユーザ情報２６１を記憶部２６０に記憶させるとともに、データサーバ３００内の記憶部３１０に記憶させる。記憶部２６０は、爪１０１の計測データ２６２、肌の計測データ２６３およびユーザ情報２６１を記憶する。ユーザ情報２６１は、ユーザを識別するための情報であり、例えば、ユーザＩＤを含む。操作部２５０は、ユーザからの入力を受け付ける。操作部２５０は、例えば、キーボード、マウス、または、タッチパネルによって構成されている。通信部２４０は、ネットワーク１００を介して、ネイル製作システム１内の他の装置（データサーバ装置３００等）と通信を行う。
【００２０】
（データサーバ装置３００）
図３は、データサーバ装置３００の概略構成例を表したものである。データサーバ装置３００は、既存のネイルチップの形状データ（３次元データ）もしくは既存のネイルシールの形状データ（２次元データ）を記憶している。データサーバ装置３００は、さらに、登録装置２００から取得した情報（ユーザ情報２６１、爪の計測データ２６２および肌の計測データ２６３）を記憶している。
【００２１】
データサーバ装置３００は、例えば、記憶部３１０、通信部３２０および制御部３３０を有している。
【００２２】
記憶部２６０は、登録装置２００から入力されたデータ（ユーザ情報２６１、爪１０１の計測データ２６２および肌の計測データ２６３）を記憶する。なお、肌の計測データ２６３は、必要に応じて、省略され得る。記憶部３１０は、さらに、既存の形状データ３１２を記憶している。既存の形状データ３１２は、例えば、既存の１または複数のネイルチップの形状データ（３次元データ）、または、既存の１または複数のネイルシールの形状データ（２次元データ）を含んでいる。記憶部３１０は、さらに、識別情報３１１を記憶している。識別情報３１１は、既存の形状データ３１２に含まれる形状データごとに割り当てられた識別子である。上記の識別子は、例えば、ネイルチップもしくはネイルシールの名称およびサムネイルのうち少なくとも一方である。
【００２３】
記憶部３１０は、例えば、既存の装飾デザインデータ３１４を記憶している。既存の装飾デザインデータ３１４は、例えば、ネイルチップもしくはネイルシールの表面に印刷される１または複数の装飾デザインの画像データを含んでいる。記憶部３１０は、さらに、例えば、装飾デザイン情報３１３を記憶している。装飾デザイン情報３１３は、装飾デザインデータ３１４に含まれる装飾デザインの画像データごとに割り当てられた、装飾デザインについての情報である。上記の「装飾デザインについての情報」は、例えば、装飾デザインの名称およびサムネイルのうち少なくとも一方である。なお、装飾デザイン情報３１３および装飾デザインデータ３１４は、必要に応じて、省略され得る。
【００２４】
（造形装置４００）
図４は、造形装置４００の概略構成例を表したものである。造形装置４００は、ネットワーク１００を介して入力されたデータ（印刷データ３１７）に基づいて造形物を製作する。造形装置４００は、例えば、造形部４１０、記憶部４２０、通信部４３０および制御部４４０を有している。
【００２５】
造形部４１０は、例えば、印刷データ３１７（後述）に基づいて樹脂を吐出することにより、オリジナルネイルチップ（例えば、図５に示したようなネイルチップ１０２）を製作する。また、造形部４１０は、例えば、印刷データ３１７に基づいて、例えば図６に示したような樹脂シール１０３を切断もしくは半切断することにより、例えば図７に示したようなオリジナルネイルシール（ネイルシール１０４）を製作する。このとき、各ネイルシール１０４は、樹脂シール１０３に対して切断もしくは半切断の状態で保持されている。なお、図７には、各ネイルシール１０４の端縁が、切断線１０４Ａもしくは半切断線１０４Ｂで構成されている様子が例示されている。
【００２６】
（印刷装置５００）
図８は、印刷装置５００の概略構成例を表したものである。印刷装置５００は、ネットワーク１００を介して入力されたデータ（印刷データ３１９（後述））に基づいて印刷を行う。印刷装置５００は、例えば、印刷部５１０、記憶部５２０、通信部５３０および制御部５４０を有している。
【００２７】
印刷部５１０は、例えば、印刷データ３１９に基づいて樹脂またはインクを吐出することにより、例えば、図９に示したように、オリジナルネイルチップ（ネイルチップ１０２）の表面に装飾デザイン１０５を印刷する。また、印刷部５１０は、例えば、印刷データ３１９に基づいて、例えば図１０に示したように、樹脂シール１０３の表面に装飾デザイン１０５を印刷する。なお、装飾デザイン１０５が印刷された樹脂シール１０３を、印刷データ３１７に基づいて切断もしくは半切断することにより、表面に装飾デザイン１０５が印刷されたオリジナルネイルシール（ネイルシール１０４）を製作することができる。
【００２８】
（ウェブサーバ装置６００）
図１１は、ウェブサーバ装置６００の概略構成例を表したものである。ウェブサーバ装置６００は、端末装置７００におけるユーザインターフェースを提供する。ウェブサーバ装置６００は、例えば、記憶部６１０、通信部６２０および制御部６３０を有している。
【００２９】
通信部６２０は、ネットワーク１００を介して、ネイル製作システム１内の他の装置（データサーバ装置３００等）と通信を行う。記憶部６１０は、制御部６３０によって実行されるプログラム（例えば、ウェブサーバプログラム６１３や、ウェブアプリケーションプログラム６１４）などを記憶している。制御部６３０は、プロセッサを含んで構成されており、記憶部６１０に記憶されたウェブサーバプログラム６１３や、ウェブアプリケーションプログラム６１４などを実行する。制御部６３０の機能は、例えば、制御部６３０によって、ウェブサーバプログラム６１３やウェブアプリケーションプログラム６１４が実行されることによって実現される。ウェブアプリケーションプログラム６１４は、本技術の「ネイル製作プログラム」の一具体例に対応する。
【００３０】
具体的には、制御部６３０は、注文情報７１２（後述）と、ユーザ情報７１１（後述）とを、端末装置７００および通信部６２０を介して受け付ける。注文情報７１２は、ユーザによって選択された情報であり、図１２に示したように、ネイルチップもしくはネイルシールの識別情報７１２Ａおよび装飾デザイン情報７１２Ｂを含む。制御部６３０は、注文情報７１２およびユーザ情報７１１を受け付けると、受け付けた注文情報７１２（ユーザ情報７１１）に対応する爪の計測データ２６２に基づいて、入力された注文情報７１２（識別情報７１２Ａ）に対応する既存の形状データ３１２を補正する。制御部６３０は、この補正により、オリジナルネイルチップもしくはオリジナルネイルシールの形状データ３１６を生成する。制御部６３０は、生成した形状データ３１６を印刷データ３１７に変換し、変換により得られた印刷データ３１７を、通信部６２０を介して造形装置４００に出力する。印刷データ３１７は、造形装置４００によって理解可能なスクリプトで記述されたデータである。通信部６２０は、ネットワーク１００を介して、ネイル製作システム１内の他の装置（端末装置７００等）と通信を行う。
【００３１】
さらに、制御部６３０は、注文情報７１２（装飾デザイン情報７１２Ｂ）を受け付けると、受け付けた注文情報７１２（装飾デザイン情報７１２Ｂ）に対応する既存の装飾デザインデータ３１５を補正することにより装飾デザインデータ３１５の補正データ３１８を生成する。制御部６３０は、生成した補正データ３１８を印刷データ３１９に変換し、変換により得られた印刷データ３１９を、通信部６２０を介して印刷装置５００に出力する。印刷データ３１９は、印刷装置５００によって理解可能なスクリプトで記述されたデータである。
【００３２】
（端末装置７００）
図１３は、端末装置７００の概略構成例を表したものである。端末装置７００は、ユーザがネイルチップもしくはネイルシールの注文に使用する端末装置であり、例えば、記憶部７１０、通信部７２０、受付部７３０および制御部７４０を有している。受付部７３０は、キーボードやタッチパネルなどで構成されている。記憶部７１０は、制御部７４０によって実行されるプログラム（例えば、ウェブブラウザプログラム７１０や、オペレーティングシステム）などを記憶している。記憶部７１０には、ユーザ情報７１１や注文情報７１２が記憶される。
【００３３】
制御部７４０は、プロセッサを含んで構成されており、記憶部７１０に記憶されたウェブブラウザプログラム７１３や、オペレーティングシステムなどを実行する。通信部７２０は、ネットワーク１００を介して、ネイル製作システム１内の他の装置（ウェブサーバ装置６００等）と通信を行う。端末装置７００におけるユーザインターフェース（受付部７３０）は、例えば、ウェブサーバ装置６００から取得したアプリケーション（例えばｈｔｍｌデータ）をウェブブラウザプログラム７１３で処理することにより実現される。
【００３４】
制御部７４０（受付部７３０）は、ネイルチップもしくはネイルシールの識別情報７１２Ａおよび装飾デザイン情報７１２Ｂを含む注文情報７１２と、ユーザ情報７１１とを受け付ける。制御部７４０（受付部７３０）は、注文情報７１２を受け付ける際に、識別情報６１１や装飾デザイン情報６１２をユーザに提示（表示）し、識別情報６１０の中から特定の識別情報（識別情報７１２Ａ）の選択を促すとともに、装飾デザイン情報６１２の中から特定の装飾デザイン情報（装飾デザイン情報７１２Ｂ）の選択を促す。識別情報６１１は、既存の形状データ３１２に対応付けられた識別情報３１１と等しい。装飾デザイン情報６１２は、既存の装飾デザインデータ３１４に対応付けられた装飾デザイン情報３１３と等しい。制御部７４０（受付部７３０）は、受け付けた注文情報７１２およびユーザ情報７１１を、通信部７２０を介してウェブサーバ装置６００に送信する。
【００３５】
[動作]
次に、ネイル製作システム１におけるネイルチップもしくはネイルシールの製作手順の一例について説明する。図１４は、ネイル製作システム１における印刷データの生成手順の一例を表したものである。
【００３６】
まず、ユーザは、登録装置２００に対して、ユーザ情報２６１、爪の計測データ２６２および肌の計測データ２６３を登録しておく。次に、ユーザは、端末装置７００を用いて、ネイルチップもしくはネイルシールの注文を行う。具体的には、まず、ユーザは、端末装置７００において、受付部７３０を起動する。すると、端末装置７００（受付部７３０）は、ユーザに対して、ユーザ情報７１１の入力を促す。ユーザが端末装置７００（受付部７３０）に対してユーザ情報７１１を入力すると、端末装置７００（受付部７３０）は、ユーザからのユーザ情報７１１を受け付ける（ステップＳ１０１）。
【００３７】
次に、端末装置７００（受付部７３０）は、識別情報６１１や装飾デザイン情報６１２をユーザに提示（表示）する（ステップＳ１０２）。このとき、端末装置７００（受付部７３０）は、識別情報６１０の中から特定の識別情報（識別情報７１２Ａ）の選択を促すとともに、装飾デザイン情報６１２の中から特定の装飾デザイン情報（装飾デザイン情報７１２Ｂ）の選択を促す。ユーザが、ネイルチップもしくはネイルシールの識別情報７１２Ａおよび装飾デザイン情報７１２Ｂを含む注文情報７１２を入力すると、端末装置７００（受付部７３０）は、ユーザからの注文情報７１２を受け付ける（ステップＳ１０３）。続いて、端末装置７００（受付部７３０）は、受け付けた注文情報７１２およびユーザ情報７１１を、通信部７２０を介してウェブサーバ装置６００に送信する（ステップＳ１０４）。
【００３８】
その後、ウェブサーバ装置６００（制御部６３０）は、注文情報７１２およびユーザ情報７１１を、通信部６２０を介して受信する（ステップＳ１０５）。次に、ウェブサーバ装置６００（制御部６３０）は、受信した注文情報７１２（ユーザ情報７１１）に対応する爪の計測データ２６２に基づいて、受信した注文情報７１２（識別情報７１２Ａ）に対応する既存の形状データ３１２を補正する。ウェブサーバ装置６００（制御部６３０）は、この補正により、オリジナルネイルチップもしくはオリジナルネイルシールの形状データ３１６を生成する（ステップＳ１０６）。さらに、ウェブサーバ装置６００（制御部６３０）は、受信した注文情報７１２（装飾デザイン情報７１２Ｂ）に対応する既存の装飾デザインデータ３１５を補正することにより装飾デザインデータ３１５の補正データ３１８を生成する（ステップＳ１０６）。
【００３９】
次に、ウェブサーバ装置６００（制御部６３０）は、生成した形状データ３１６を印刷データ３１７に変換し（ステップＳ１０７）、変換により得られた印刷データ３１７を、通信部６２０を介して造形装置４００に出力する（ステップＳ１０８）。ウェブサーバ装置６００（制御部６３０）は、さらに、生成した補正データ３１８を印刷データ３１９に変換し（ステップＳ１０７）、変換により得られた印刷データ３１９を、通信部６２０を介して印刷装置５００に出力する（ステップＳ１０８）。
【００４０】
その後、造形装置４００は、入力された印刷データ３１７に基づいて樹脂を吐出することにより、オリジナルネイルチップ（例えば、図５に示したようなネイルチップ１０２）を製作する。続いて、印刷装置５００は、入力された印刷データ３１９に基づいて樹脂またはインクを吐出することにより、例えば、図９に示したように、オリジナルネイルチップ（ネイルチップ１０２）の表面に装飾デザイン１０５を印刷する。
【００４１】
または、印刷装置５００は、印刷データ３１９に基づいて、例えば図１０に示したように、樹脂シール１０３の表面に装飾デザイン１０５を印刷する。続いて、造形装置４００は、入力された印刷データ３１７に基づいて、例えば図１０に示したような、装飾デザイン１０５の施された樹脂シール１０３を切断もしくは半切断することにより、例えば図１５に示したようなオリジナルネイルシール（ネイルシール１０４）を製作する。このようにして、ネイルチップもしくはネイルシールが製作される。
【００４２】
[効果]
次に、ネイル製作システム１の効果について説明する。
【００４３】
近年、デザインが施されたネイルチップもしくはネイルシールを自爪に装着して、お洒落を楽しむ人が増えてきている。一般的には、ユーザは、既製品の中から自分の爪や好みに合う形状や大きさのネイルチップもしくはネイルシールを選択する。しかし、自爪の形状や大きさは、ユーザごとに異なるので、既製品のネイルチップもしくはネイルシールが、自爪に合わず、格好悪いとか剥がれやすいとかいった問題があった。それに対して、測定により得られた自爪のＣＡＤデータに基づいて製作した金型を用いて、ネイルチップを製作することが考えられる。しかし、そのようにした場合には、ユーザごとに金型を製作しないといけないので、製造コストが高くなってしまう。
【００４４】
一方、ネイル製作システム１では、爪の計測データ２６１に基づいて、既存ネイルチップもしくは既存ネイルシールの形状データ（既存の形状データ３１２）から、オリジナルネイルチップもしくはオリジナルネイルシールの形状データ３１６が生成される。さらに、生成された形状データ３１６が印刷データ３１７に変換される。これにより、金型を用いずに、プリンタ（造形装置４００）によって、自爪の形状や大きさに合ったオリジナルネイルチップ（ネイルチップ１０２）もしくはオリジナルネイルシール（ネイルシール１０４）を得ることができる。その結果、低コストで自爪にフィットし易いネイルチップもしくはネイルシールを製作することができる。
【００４５】
また、ネイル製作システム１では、爪の計測データ２６１に基づいて、既存の装飾デザインデータ３１４を補正することにより既存の装飾デザインデータ３１４の補正データ３１８が生成される。さらに、生成された補正データ３１８が印刷データ３１９に変換される。これにより、金型を用いずに、プリンタ（印刷装置５００）によって、自爪の形状や大きさに合った装飾デザインを得ることができる。その結果、格好良く装飾デザインが施されたオリジナルネイルチップ（ネイルチップ１０２）もしくはオリジナルネイルシール（ネイルシール１０４）を製作することができる。
【００４６】
また、ネイル製作システム１では、印刷データ３１７に基づいて樹脂を吐出することにより、オリジナルネイルチップ（ネイルチップ１０２）を製作することができる。このように、金型を用いずに、プリンタ（造形装置４００）によって、自爪の形状や大きさに合ったオリジナルネイルチップ（ネイルチップ１０２）を得ることができる。その結果、低コストで自爪にフィットし易いオリジナルネイルチップ（ネイルチップ１０２）を製作することができる。
【００４７】
また、ネイル製作システム１では、印刷データ３１７に基づいて樹脂シールを切断もしくは半切断することにより、オリジナルネイルシール（ネイルチップ１０２）を製作することができる。このように、金型を用いずに、プリンタ（造形装置４００）によって、自爪の形状や大きさに合ったオリジナルネイルシール（ネイルチップ１０２）を得ることができる。その結果、低コストで自爪にフィットし易いオリジナルネイルシール（ネイルチップ１０２）を製作することができる。
【００４８】
また、ネイル製作システム１では、印刷データ３１９に基づいて樹脂またはインクを吐出することにより、オリジナルネイルチップ（ネイルチップ１０２）の表面に装飾デザイン１０５を印刷することができる。その結果、格好良く装飾デザインが施されたオリジナルネイルチップ（ネイルチップ１０２）を製作することができる。
【００４９】
また、ネイル製作システム１では、印刷データ３１９に基づいて樹脂またはインクを吐出することにより、樹脂シール１０３の表面に装飾デザイン１０５を印刷することができる。その結果、格好良く装飾デザインが施されたオリジナルネイルシール（ネイルチップ１０２）を製作することができる。
【００５０】
＜２．変形例＞
[変形例Ａ]
次に、ネイル製作システム１におけるネイルチップもしくはネイルシールの製作手順の一変形例について説明する。図１６は、ネイル製作システム１における印刷データの生成手順の一例を表したものである。
【００５１】
端末装置７００（受付部７３０）は、ユーザからのユーザ情報７１１を受け付けた後（ステップＳ１０１）、受け付けたユーザ情報７１１を、通信部７２０を介してウェブサーバ装置６００に送信する（ステップＳ１０９）。
【００５２】
その後、ウェブサーバ装置６００（制御部６３０）は、ユーザ情報７１１を、通信部６２０を介して受信する（ステップＳ１１０）。次に、ウェブサーバ装置６００（制御部６３０）は、受信したユーザ情報７１１に対応する肌の計測データ２６３に基づいて、装飾デザイン情報６１２の中から、１または複数のお勧め装飾デザインを選択する。ウェブサーバ装置６００（制御部６３０）は、選択した１または複数のお勧め装飾デザインを、通信部６２０を介して端末装置７００に送信する（ステップＳ１１１）。
【００５３】
その後、端末装置７００（受付部７３０）は、１または複数のお勧め装飾デザインを、通信部７２０を介して受信する（ステップＳ１１２）。次に、端末装置７００（受付部７３０）は、受信した１または複数のお勧め装飾デザインを、識別情報６１１や装飾デザイン情報６１２とともに、ユーザに提示（表示）する（ステップＳ１１３）。ユーザが、１または複数のお勧め装飾デザインを参考にしながら、ネイルチップもしくはネイルシールの識別情報７１２Ａおよび装飾デザイン情報７１２Ｂを含む注文情報７１２を入力する。すると、端末装置７００（受付部７３０）は、ユーザからの注文情報７１２を受け付ける（ステップＳ１０３）。この後の流れは、上記の実施の形態と同様である。
【００５４】
本変形例では、肌の計測データ２６３に基づいて１または複数のお勧め装飾デザインが選択され、選択された１または複数のお勧め装飾デザインに対応する情報が出力（表示）される。これにより、良く似合う装飾デザインが施されたオリジナルネイルチップ（ネイルチップ１０２）もしくはオリジナルネイルシール（ネイルチップ１０２）を製作することができる。
【００５５】
[変形例Ｂ]
上記実施の形態およびその変形例では、注文情報７１２には、識別情報７１２Ａと、装飾デザイン情報７１２Ｂが含まれていたが、例えば、図１７Ａに示したように、装飾デザイン情報７１２Ｂが割愛されていてもよい。このようにした場合であっても、上記実施の形態と同様、低コストで自爪にフィットし易いネイルチップもしくはネイルシールを製作することができる。
【００５６】
[変形例Ｃ]
上記実施の形態およびその変形例では、注文情報７１２には、識別情報７１２Ａと、装飾デザイン情報７１２Ｂが含まれていた。しかし、例えば、図１７Ｂに示したように、注文情報７１２は、識別情報７１２Ａおよび装飾デザイン情報７１２Ｂの他に、さらに、補正情報７１２Ｃを含んでいてもよい。補正情報７１２Ｃは、例えば、端末装置７００（受付部７３０）に、ユーザによって選択された装飾デザイン情報７１２Ｂを、ユーザによって選択された識別情報７１２Ａに含まれるサムネイルに重ね合わせて表示し、その状態でユーザに、装飾デザイン情報７１２Ｂの、サムネイルに対する位置、向きおよび大きさなどを調節させることにより得られた情報である。
【００５７】
このように、補正情報７１２Ｃが注文情報７１２に含まれていることで、ウェブサーバ装置６００（制御部６３０）は、受信した注文情報７１２（装飾デザイン情報７１２Ｂ）に対応する既存の装飾デザインデータ３１５を、受信した注文情報７１２（注文情報７１２）を用いて補正することができる。その結果、ウェブサーバ装置６００（制御部６３０）は、ユーザの好みに合った補正データ３１８を生成することができる。
【００５８】
以上、複数の実施の形態およびそれらの変形例を挙げて本技術を説明したが、本技術は上記実施の形態等に限定されるものではなく、種々変形が可能である。なお、本明細書中に記載された効果は、あくまで例示である。本技術の効果は、本明細書中に記載された効果に限定されるものではない。本技術が、本明細書中に記載された効果以外の効果を持っていてもよい。
【００５９】
また、例えば、本技術は以下のような構成を取ることができる。
（１）
爪の計測データに基づいて既存ネイルチップもしくは既存ネイルシールの形状データを補正することによりオリジナルネイルチップもしくはオリジナルネイルシールの形状データを生成する第１補正部と、
前記第１補正部によって生成された前記オリジナルネイルチップもしくは前記オリジナルネイルシールの形状データを印刷データに変換する第１変換部と
を備えた
ネイル製作システム。
（２）
前記爪の計測データに基づいて、前記オリジナルネイルチップもしくは前記オリジナルネイルシールの表面に印刷される装飾デザインのデータを補正することにより前記装飾デザインの補正データを生成する第２補正部と、
前記第２補正部によって生成された前記装飾デザインの補正データを印刷データに変換する第２生成部と
をさらに備えた
（１）に記載のネイル製作システム。
（３）
前記第１変換部で得られた印刷データに基づいて樹脂を吐出することにより、前記オリジナルネイルチップを製作する第１製作部をさらに備えた
（１）または（２）に記載のネイル製作システム。
（４）
前記第１変換部で得られた印刷データに基づいて樹脂シールを切断もしくは半切断することにより、前記オリジナルネイルシールを製作する第１製作部をさらに備えた
（１）または（２）に記載のネイル製作システム。
（５）
前記第２変換部で得られた印刷データに基づいて樹脂またはインクを吐出することにより、前記オリジナルネイルチップの表面に前記装飾デザインを印刷する第２製作部をさらに備えた
（２）に記載のネイル製作システム。
（６）
前記第２変換部で得られた印刷データに基づいて樹脂またはインクを吐出することにより、樹脂シールの表面に前記装飾デザインを印刷する第２製作部をさらに備えた
（２）に記載のネイル製作システム。
（７）
肌の計測データに基づいて１または複数のお勧め装飾デザインを選択し、選択した前記１または複数のお勧め装飾デザインに対応する情報を出力する出力部をさらに備えた
（２）に記載のネイル製作システム。
（８）
爪の計測データに基づいて既存ネイルチップもしくは既存ネイルシールの形状データを補正することによりオリジナルネイルチップもしくはオリジナルネイルシールの形状データを生成することと、
前記第１補正部によって生成された前記オリジナルネイルチップもしくは前記オリジナルネイルシールの形状データを印刷データに変換することと
を含む
ネイル製作方法。
【００６０】
本出願は、日本国特許庁において２０１６年７月２０日に出願された日本特許出願番号第２０１６−１４２１８６号を基礎として優先権を主張するものであり、この出願のすべての内容を参照によって本出願に援用する。
【００６１】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018016205.tif 000003
【図２】
2018016205.tif 000004
【図３】
2018016205.tif 000005
【図４】
2018016205.tif 000006
【図５】
2018016205.tif 000007
【図６】
2018016205.tif 000008
【図７】
2018016205.tif 000009
【図８】
2018016205.tif 000010
【図９】
2018016205.tif 000011
【図１０】
2018016205.tif 000012
【図１１】
2018016205.tif 000013
【図１２】
2018016205.tif 000014
【図１３】
2018016205.tif 000015
【図１４】
2018016205.tif 000016
【図１５】
2018016205.tif 000017
【図１６】
2018016205.tif 000018
【図１７Ａ】
2018016205.tif 000019
【図１７Ｂ】
2018016205.tif 000020
【国際調査報告】
2018016205.tif 000021
2018016205.tif 000022
2018016205.tif 000023
2018016205.tif 000024